(57)【要約】【課題】複数の基地局の無線エリアと一つの移動端末の無線エリアが重なっている場合、一つの移動端末からの送信に対して複数の基地局から応答送信されて正常にデータ送受信ができなくなることがあった。【解決手段】本発明の無線通信システムは、移動端末と複数の基地局と該複数の基地局を結合する伝送路で構成され、複数の基地局は移動端末と無線通信を行う無線機器部と送信中信号発生部と送信中信号検出部と送信中信号出力制御部とを備え、送信中信号出力制御部は移動端末からの送信を受信した場合に送信中信号検出部が他の基地局からの送信中信号の有無を確認し、他の基地局から送信中信号を出力していない場合に送信中信号発生部から出力される送信中信号を伝送路を介して出力する。【選択図】  図１
2010010866.tif 000002
【特許請求の範囲】
【請求項１】
移動端末と、複数の基地局と、該複数の基地局を結合する伝送路で構成された無線通信システムにおいて、
前記複数の基地局は、前記移動端末と無線通信を行う無線機器部と、送信中信号発生部と、送信中信号検出部と、送信中信号出力制御部とを備え、
前記送信中信号出力制御部は、前記移動端末からの送信を受信した場合に前記送信中信号検出部が他の基地局からの送信中信号の有無を確認し、他の基地局から送信中信号を出力していない場合に、前記送信中信号発生部から出力される送信中信号を前記伝送路を介して出力することを特徴とする無線通信システム。
【請求項２】
前記請求項１に記載の無線通信システムにおいて、
前記複数の基地局は、基地局毎に送信中信号の出力タイミングが異なることを特徴とする無線通信システム。
【発明の詳細な説明】
【技術分野】
【０００１】
本発明は、基地局と移動局（移動端末）とを有する無線通信システムに関し、特に基地局と移動局間のデータ伝送方式に関するものである。
【背景技術】
【０００２】
従来、統制局、複数の基地局、移動局で構成された無線通信システムにおいて、基地局と移動局間が妨害を受けて通信できなくなったとしても、統制局側で移動局の状況を監視できるようにしていた。（例えば、特許文献１参照。）。
【特許文献１】特開２００８−１０３８７２号公報
【発明の開示】
【発明が解決しようとする課題】
【０００３】
複数の基地局の無線エリアと一つの移動端末の無線エリアが重なっている場合、一つの移動端末からの送信に対して複数の基地局から応答送信されて正常にデータ送受信ができなくなることがあった。
【課題を解決するための手段】
【０００４】
本発明の無線通信システムは、移動端末と複数の基地局と該複数の基地局を結合する伝送路で構成され、複数の基地局は移動端末と無線通信を行う無線機器部と送信中信号発生部と送信中信号検出部と送信中信号出力制御部とを備え、送信中信号出力制御部は移動端末からの送信を受信した場合に送信中信号検出部が他の基地局からの送信中信号の有無を確認し、他の基地局から送信中信号を出力していない場合に送信中信号発生部から出力される送信中信号を伝送路を介して出力する。
【０００５】
また、本発明の無線通信システムは、複数の基地局毎に送信中信号の出力タイミングが異なる。
【発明の効果】
【０００６】
本発明によれば、基地局間で電波が届かない場合でも、基地局は他の基地局と移動端末の応答の有無がわかり、１つの移動端末の送信に対して複数基地局から応答信号を送信することによる混信がなくなり、移動端末（移動局）と基地局間で正常にデータの送受信ができる。
【発明を実施するための最良の形態】
【０００７】
本発明による無線通信システムの一実施例について図１を用いて説明する。図１は本発明の一実施例を説明するための無線通信システム図である。
【０００８】
図１において、基地局１〜３は移動端末（移動局）４と無線を使用してデータ通信を行う。基地局１〜３は伝送路５を介して接続している。伝送路５は例えば、メタルや光ファイバー等の専用回線または公衆回線である。
【０００９】
基地局１は、移動端末４と無線通信を行うための無線機部１０１を備え、移動端末４から送信があった場合、無線機部１０１から応答送信を行うと共に送信中信号発生部１０２から送信中信号をアンプ部１０３に出力する。アンプ部１０３は送信中信号を所定のレベルに増幅してアイソレート部１０４に出力する。アイソレート部１０４はアンプ部１０３と伝送路５を直流的に絶縁するものである。アイソレート部１０４は電気的に絶縁するためのフォトカプラ等であっても良い。アイソレート部１０４は所定のレベルに増幅された送信中信号を直流的に絶縁して送信中信号出力制御部１０５に出力する。送信中信号出力制御部１０５は伝送路５に送信中信号を出力する。アイソレート部１０６は他の基地局からの送信中信号を直流的に絶縁してアンプ部１０７に出力する。アンプ部１０７は他の基地局からの送信中信号を所定レベルに増幅して送信中信号検出部１０８に出力する。送信中信号検出部１０８は他の基地局からの送信中信号を検出した場合は、移動端末４から送信があっても無線機部１０１から応答送信を出力しないように無線機部１０１を制御する。基地局２および基地局３の構成も基地局１と同様である。
【００１０】
次に、図２について説明する。図２は、移動端末４の無線エリア４１が基地局１の無線エリア１１、基地局２の無線エリア２１、基地局３の無線エリア３１と重なった場合を示している。この無線エリアが重なった場合の基地局１〜３の動作について図３を用いて説明する。図３は、本発明の一実施例の動作を説明するためのタイミングチャートである。
【００１１】
本発明の一実施例の動作を図１〜図３を用いて説明する。移動端末４は、移動端末４の無線エリア４１内にある基地局に対して要求信号である移動端末４からの送信（ａ）を送信する。移動端末４の無線エリア４１は、図２に示すように基地局１の無線エリア１１、基地局２の無線エリア２１、基地局３の無線エリア３１と重なっている。このため、移動端末４からの送信（ａ）は、基地局１にて着信（ｂ）、基地局２にて着信（ｅ）、基地局３にて着信（ｈ）と、基地局１〜基地局３で着信される。
【００１２】
基地局１は、基地局１にて着信（ｂ）を無線機部１０１で着信すると、送信中信号発生部１０２で送信中信号を発生し、アンプ部１０３で送信中信号を所定のレベルに増幅し、アイソレート部１０４で送信中信号を直流的に絶縁して、送信中信号を送信中信号出力制御部１０５に入力させる。送信中信号出力制御部１０５は伝送路５に他の基地局（本実施例では、基地局２、基地局３）から送信中信号が出力されていないか確認し、他の基地局から送信中信号が伝送路５に出力されていない場合に、移動端末４に対して基地局１からの応答送信（ｃ）を無線機部１０１から無線送信する。送信中信号出力制御部１０５は伝送路５に他の基地局（本実施例では、基地局２、基地局３）から送信中信号が出力されていないか確認する手段は、伝送路５と接続しているアイソレート部１０６で直流的に絶縁してアンプ部１０７で所定の増幅率で増幅し、送信中信号検出部１０８で他の基地局から送信中信号を出力していないか確認する。送信中信号出力制御部１０５は、送信中信号検出部１０８で伝送路５に基地局２から送信中信号出力（ｈ）と、基地局３から送信中信号出力（ｌ）が送信されていないことを確認できたため、移動端末４に対して基地局１からの応答送信（ｃ）を無線機部１０１から無線送信するように無線機部１０１を制御する。また、送信中信号出力制御部１０５は、伝送路５に基地局１から送信中信号出力（ｄ）を出力する。基地局１からの応答送信（ｃ）は、基地局１にて着信（ｂ）してからｔ１秒後である。
【００１３】
基地局２は、基地局２にて着信（ｅ）を無線機部２０１で着信すると、送信中信号発生部２０２で送信中信号を発生し、アンプ部２０３で送信中信号を所定のレベルに増幅し、アイソレート部２０４で送信中信号を直流的に絶縁して、送信中信号を送信中信号出力制御部２０５に入力させる。送信中信号出力制御部２０５は伝送路５に他の基地局（本実施例では、基地局１、基地局３）から送信中信号が出力されていないか確認し、他の基地局から送信中信号が伝送路５に出力されていない場合に、移動端末４に対して基地局２からの応答送信（ｇ）を無線機部２０１から無線送信する。送信中信号出力制御部２０５は伝送路５に他の基地局（本実施例では、基地局１、基地局３）から送信中信号が出力されていないか確認する手段は、伝送路５と接続しているアイソレート部２０６で直流的に絶縁してアンプ部２０７で所定の増幅率で増幅し、送信中信号検出部２０８で他の基地局から送信中信号を出力していないか確認する。送信中信号出力制御部２０５は、送信中信号検出部２０８で伝送路５に基地局２にて基地局１から送信中信号検出（ｆ）が送信されていることを確認できたため、移動端末４に対して基地局２からの応答送信（ｇ）を無線機部２０１から無線送信しないように無線機部２０１を制御する。また、送信中信号出力制御部２０５は、伝送路５に基地局２から送信中信号出力（ｈ）を出力しない。基地局２からの応答送信（ｇ）は、基地局２にて着信（ｅ）してからｔ２秒後である。
【００１４】
基地局３は、基地局３にて着信（ｉ）を無線機部３０１で着信すると、送信中信号発生部３０２で送信中信号を発生し、アンプ部３０３で送信中信号を所定のレベルに増幅し、アイソレート部３０４で送信中信号を直流的に絶縁して、送信中信号を送信中信号出力制御部３０５に入力させる。送信中信号出力制御部３０５は伝送路５に他の基地局（本実施例では、基地局１、基地局２）から送信中信号が出力されていないか確認し、他の基地局から送信中信号が伝送路５に出力されていない場合に、移動端末４に対して基地局３からの応答送信（ｋ）を無線機部３０１から無線送信する。送信中信号出力制御部３０５は伝送路５に他の基地局（本実施例では、基地局１、基地局２）から送信中信号が出力されていないか確認する手段は、伝送路５と接続しているアイソレート部３０６で直流的に絶縁してアンプ部３０７で所定の増幅率で増幅し、送信中信号検出部３０８で他の基地局から送信中信号を出力していないか確認する。送信中信号出力制御部３０５は、送信中信号検出部３０８で伝送路５に基地局３にて基地局１から送信中信号検出（ｊ）が送信されていることを確認できたため、移動端末４に対して基地局３からの応答送信（ｋ）を無線機部３０１から無線送信しないように無線機部３０１を制御する。また、送信中信号出力制御部３０５は、伝送路５に基地局３から送信中信号出力（ｌ）を出力しない。基地局３からの応答送信（ｋ）は、基地局３にて着信（ｉ）してからｔ３秒後である。
【００１５】
次に、移動端末４の無線エリア４１が基地局１の無線エリア１１、基地局２の無線エリア２１、基地局３の無線エリア３１と重なった場合に、基地局１〜基地局３から同時に応答送信しない理由について説明する。
【００１６】
移動端末４は、移動端末４の無線エリア４１内にある基地局に対して要求信号である移動端末４からの送信（ａ）を送信するが、基地局１〜３は他の基地局と移動端末の応答の有無が伝送路５を介してわかる。更に基地局から移動端末４への応答送信は、移動端末４からの送信（ａ）を着信して、基地局毎に応答送信時間が異なっているため、基地局１〜３から同時に移動端末４に対して応答送信することがない。本発明の一実施例では、移動端末４からの送信（ａ）を着信して、基地局が応答送信するまでの時間がｔ１＜ｔ２＜ｔ３の関係になっている。このようにすることにより、基地局１〜基地局３が同時に移動端末４からの送信（ａ）を受けても、基地局１からのみ応答送信する。応答送信する優先順位は、基地局１、基地局２、基地局３の順番である。
【００１７】
上記の本発明の一実施例では、移動端末４を１個の場合で説明したが、移動端末は複数あっても良い。
【００１８】
上記の一実施例で説明したように、本発明の無線通信システムは、基地局間で電波が届かない場合でも、基地局は他の基地局と移動端末の応答の有無がわかり、１つの移動端末の送信に対して複数基地局から応答信号を送信することによる混信がなくなり、移動端末（移動局）と基地局間で正常にデータの送受信ができる。
【００１９】
以上本発明について詳細に説明したが、本発明は、ここに記載された無線通信システムに限定されるものではなく、上記以外の列車無線システム等に広く適用することができることは言うまでもない。
【図面の簡単な説明】
【００２０】
【図１】本発明の一実施例を説明するための無線通信システム図である。
【図２】本発明の一実施例を説明するための無線エリア図である。
【図３】本発明の一実施例の動作を説明するためのタイミングチャートである。
【符号の説明】
【００２１】
１〜３：基地局、４：移動端末、５：伝送路、１０１，２０１，３０１：無線機部、１０２，２０２，３０２：送信中信号発生部、１０３，２０３，３０３，１０７，２０７，３０７：アンプ部、１０４，２０４，３０４，１０６，２０６，３０６：アイソレート部、１０５，２０５，３０５：送信中信号出力制御部、１０８，２０８，３０８：送信中信号検出部、５１，５２：伝送線、１１：基地局１の無線エリア、２１：基地局２の無線エリア、３１：基地局３の無線エリア、４１：移動端末４の無線エリア。
【図１】
2010010866.tif 000003
【図２】
2010010866.tif 000004
【図３】
2010010866.tif 000005